(57)【要約】【課題】フライフィッシングの釣り糸において、リーダー、フライライン間に起こり得る水による抵抗を極めて小さく出来ると共に、リーダーの交換がフライラインを損傷することなく容易に行うことが出来るようにし、又リーダーのターンオーバー性能を向上させること。【解決手段】編み糸からなる中空のブレイデッドライン１の一端部１a内側にリーダー５の先端部５aを固着し、他端部１b内側にはフライライン２の先端部２aを所要深さ挿着すると共に、ブレイデッドラインの挿着部３外周には筒状スリーブ４を嵌着してある。【選択図】図１
2006067922.tif 000002
【特許請求の範囲】
【請求項１】
編み糸からなる中空のブレイデッドラインの一端部内側にフライラインの先端部を所要深さ挿着すると共に、ブレイデッドラインの挿着部外周に筒状スリーブを嵌着してなり、ブレイデッドラインの他端部にはリーダーの端部を連結するようにしてなることを特徴とするフライフィッシングの釣り糸。
【請求項２】
ブレイデッドラインに連結するリーダーは、その端部外周面を粗面に形成してブレイデッドラインの端部内側に挿着すると共に、挿着部外周を細糸で締め付けてある請求項１記載のフライフィッシングの釣り糸。
【請求項３】
フライフィッシングのリーダーとフライラインとを接続する方法であって、編み糸からなる中空のブレイデッドラインの一端部内側にリーダーの先端部を連結し、他端部内側にはフライラインの先端部を所要深さ挿着すると共に、ブレイデッドラインの挿着部外周に筒状スリーブを嵌着するようにしたことを特徴とするフライフィッシングの釣り糸接続方法。
【請求項４】
ブレイデッドラインの一端部内側に、外周面を粗面に形成したリーダーの先端部を所要深さ挿着すると共に、ブレイデッドラインの挿着部外周を細糸で締め付るようにしたことを特徴とする請求項３記載のフライフィッシングの釣り糸接続方法。
【発明の詳細な説明】
【技術分野】
【０００１】
本発明は、フライフィッシング用の釣り糸及びその接続方法に関するものである。
【背景技術】
【０００２】
従来、フライフィッシングに使用される釣り糸は、一般的に、一端をリールに結着する編み糸からなるバッキングラインと、このバッキングラインに接続する、編み糸の周りをＰＶＣ(ポリ塩化ビニール)でコーティングしたフライラインと、このフライラインと接続され、他端にフライを結束したリーダーとから構成されている。
而して、先糸であるリーダーは、フライラインにネイルノット、オルブライト
ノットなどのノット（結び目）を用いて接続されるか、プラスチック製のコネクターで接続するか、或いはスプライスと言われる針を用いてリーダーの先端をフライラインの中に引き込んでエポキシ樹脂や接着剤などを使い固定する方法が用いられてきた。
又、他の方法としては、フライラインの先端にブレイデッドループと呼ばれる環状のループを取付けて、これにリーダーの末端に設けられた環を通して接続する方法もあった。
【特許文献１】実用新案登録第３０４９５８２号
【発明の開示】
【発明が解決しようとする課題】
【０００３】
前記何れの方法でも、フライライン先端部に形成されたノット(結び目)、若しくは取付けられたパーツ等により、水中及び水面上において、より多くの水による抵抗が起きる。これは、釣りをする上で大きなマイナス面である。
また、ループ以外の方法では、リーダーを交換する際に、フライラインからリーダーを切断しなければならず、これによって、フライラインの先端部が短くなってしまう。この作業を繰り返すことで先端部がどんどん短くなってしまう。フライラインの重要性はそのテーパーデザインにあり、先端部が欠損する事でテーパーに支障をきたす。
また、フライラインの材質とリーダーの材質の相違することでパワーシフトロスが発生するため、リーダーのターンオーバー性能が低いという問題があった。
本発明は、上記従来の難点に鑑み、リーダー、フライライン間に起こり得る水による抵抗を極めて小さく出来ると共に、リーダーの交換がフライラインを損傷することなく容易に行うことが出来るようにし、又、リーダーのターンオーバー性能を飛躍的に向上させることが出来るようにした、釣り糸及びその接続方法を提供しようとするものである。
【課題を解決するための手段】
【０００４】
上記目的を達成するために、本発明に於ける釣り糸は、編み糸からなる中空のブレイデッドラインの一端部内側にフライラインの先端部を所要深さ挿着すると共に、ブレイデッドラインの挿着部外周に筒状スリーブを嵌着してなり、ブレイデッドラインの他端部内側には、その端部外周面を粗面に形成したリーダーの先端部を挿着すると共に、挿着部外周を細糸で締め付けて連結してなる。
又、本発明に於ける釣り糸接続方法は、編み糸からなる中空のブレイデッドラインの一端部内側にフライラインの先端部を所要深さ挿着すると共に、ブレイデッドラインの挿着部外周に筒状スリーブを嵌着し、ブレイデッドラインの他端部内側には、その端部外周面を粗面に形成したリーダーの先端部を挿着すると共に、挿着部外周を細糸で締め付けるようにして連結してある。
【発明の効果】
【０００５】
本発明によれば、リーダーとフライラインとを確実にして極めて容易に接続できると共に、リーダーとフライライン間にループやコネクターといった大きな抵抗を生じさせるものがないので、水による抵抗を極めて小さくする事が出来る。
又、フライラインとブレイデッドラインとを取外し可能に構成してあるので、リーダーの交換がフライラインを損傷することなく行うことが出来る。特に、ブレイデッドラインとフライラインとの連結、離脱が容易にできる事は、悪天候下で釣りを行う場合等にも迅速に対応できるので大変有益である。
又、リーダーの一端部に固着したブレイデッドラインにより、フライラインの材質とリーダーの材質が違うことで生じたパワーシフトのロスが改善されるため、リーダーのターンオーバー性能が飛躍的に向上する利点がある。
【実施例１】
【０００６】
以下、添付図面に従って本発明の一実施例を説明する。
図１及び図２において、１は編み糸で中空に形成した、低伸度で高い直線引張強度を有するブレイデッドライン、２はフライラインを示す。
而して、ブレイデッドライン１とフライライン２とを接続するには、ブレイデッドライン１の先端部１aの内側に、フライライン２の先端部２aを所要深さ挿着すると共に、ブレイデッドライン１の挿着部３の外周全体に、筒状の合成樹脂製スリーブ４を嵌着する。
【０００７】
このように接続すると、フライラインの外周面２bは柔軟性を有する為、ブ
レイデッドラインの内周面１bの編み目による凹凸に嵌り合うと共に、挿着部３全体が外側からスリーブ４で締め付けてられているので、ブレイデッドライン１とフライライン２とが強く接続される。従って、ブレイデッドライン１とフライライン２との間に強い引張力が作用しても、フライライン２が抜け出るおそれがない。又、ブレイデッドライン１の端部に形成した差込口１１は、細糸を接着して環状にしておくと、フライライン２を差し込み易い。
【０００８】
而して、ブレイデッドライン１とフライライン２とを離す場合には、スリーブ４をスラードさせて挿着部３より取外した後、互いに反対方向に引張れば良い。
【０００９】
次に、ブレイデッドライン１とリーダー５とは、図３及び図４に示すように、
外周面に凹凸状の粗面５bを形成したリーダー５の先端部５aを、ブレイデッドライン１の末端部１ｃに所要幅挿着すると共に、ブレイデッドライン１の挿着部６の外周部を、ナイロン製の細糸７を用いて締着してある。
このように接続すると、リーダー５の外周面５bに形成された凹凸と、ブレイ
デッドライン１の内周面１bの編み目による凹凸とが互いに嵌り合うと共に、挿
着部６全体が外側から細い糸７で締め付けられるので、ブレイデッドライン１とリーダー５とが強く接続される。従って、ブレイデッドライン１とリーダー５との間に強い引っ張力が作用しても、リーダー５が抜出るおそれがない。
【００１０】
なお、前記ブレイデッドライン１の外周面全体を、フライライン２と同じ材質の合成樹脂でコーティングする場合もある。このようにしておけば、フライラインの材質とリーダーの材質が違うことで生じるパワーシフトのロスをいっそう生じさせない利点がある。
【図面の簡単な説明】
【００１１】
【図１】ブレイデッドラインとフライラインの接続部の斜視図である
【図２】同上断面図である。
【図３】ブレイデッドラインとリーダーの接続部の斜視図である。
【図４】同上断面図である。
【符号の説明】
【００１２】
１  ブレイデッドライン  
２  フライライン
３  挿着部
４  スリーブ
５  リーダー
６  挿着部
７  細糸
【図１】
2006067922.tif 000003
【図２】
2006067922.tif 000004
【図３】
2006067922.tif 000005
【図４】
2006067922.tif 000006